(57)【要約】  【課題】  糸絡みを十分に防止できる釣糸ガイド、及びこれを備える釣竿を提供する。  【解決手段】  本発明の釣糸ガイドは、例えば、中竿２の周面に固定される固定部１１と、固定部１１に対して起立すると共に脚部の長手方向を回転軸方向として回転自在に連結された脚部１２と、脚部１２の頭端に形成された釣竿の長手方向に貫通する貫通孔を有するガイドフレーム１３と、貫通孔にはめ込まれ釣糸が挿通可能なガイドリング１４とを備えている。この釣竿の中で、最も穂先側に位置するトップガイド１０と、最もリールに近い位置に配置される釣糸ガイド７とは、回転不能な固定式釣糸ガイドである。【選択図】  図２
2005198590.tif 000002
【特許請求の範囲】
【請求項１】
魚釣りに用いる釣竿に装着される釣糸ガイドであって、
前記釣竿の竿体の周面に固定される固定部と、
前記固定部に対して起立すると共にその起立した方向を回転軸方向として回転自在に連結された脚部と、
前記脚部の頭端に形成された前記釣竿の長手方向に貫通する貫通孔を有するガイドフレームと、
前記貫通孔にはめ込まれ釣糸が挿通可能なガイドリングと、
を備えた回転式釣糸ガイド。
【請求項２】
魚釣りに用いる釣竿であって、
竿体と、前記竿体の周面に軸長方向に間隔を隔てて配置される複数の釣糸ガイドとを備え、
前記複数の釣糸ガイドの中で、最も竿元側に配置される釣糸ガイドと、最も穂先側に配置される釣糸ガイドとは回転不能な固定式釣糸ガイドであり、その余の釣糸ガイドは回転式釣糸ガイドであり、
前記回転式釣糸ガイドは、前記竿体の周面に固定される固定部と、前記固定部に対して起立すると共にその起立下方向を回転軸方向として回転自在に連結された脚部と、前記脚部の頭端に形成された前記釣竿の長手方向に貫通する貫通孔を有するガイドフレームと、前記貫通孔にはめ込まれ釣糸が挿通可能なガイドリングとを有している、釣竿。
【発明の詳細な説明】
【技術分野】
【０００１】
本発明は、竿体の外周面に固定された釣糸を挿通する釣糸ガイド、及びこれを備えた釣竿に関する。
【背景技術】
【０００２】
魚釣りに用いる釣竿の外周面には、釣糸をリールと穂先との間で案内する釣糸ガイドが設けられている。一般的な釣糸ガイドは、竿体周面に固定部を取り付け、ここから起立する脚部の頭端にセラミックス等の硬質部材からなるガイドリングが嵌め込まれている。例えば、固定部は釣竿の竿体の周面に合成樹脂と巻糸とによって固定されている。そして、リールからの釣糸が釣糸ガイドのガイドリングを順次挿通して穂先側に導かれてゆく。
【０００３】
この種の釣糸ガイドに生じる問題の１つに「糸絡み」と言う問題がある。釣糸が釣糸ガイドのガイドリングを挿通した状態で案内されることになるが、リールからの釣糸の放出程度如何によっては釣糸が弛んでしまい、釣糸ガイドの脚部に巻き付いてしまうような現象が生じるのである。
【０００４】
このような問題を解決するために、種々の技術が提案されてきた。例えば、脚部の形状を特定のものとして、糸絡みを極力防止した釣糸ガイドも提案されている（特許文献１参照）。しかし、釣糸ガイドに対してはさらなる糸絡み防止のための改良が求められている。
【特許文献１】特開2002-171871号公報
【発明の開示】
【発明が解決しようとする課題】
【０００５】
本発明は、糸絡みを十分に防止できる釣糸ガイド、及びこれを備える釣竿を提供するものである。
【課題を解決するための手段】
【０００６】
本発明の釣糸ガイドは、魚釣りに用いる釣竿に装着される釣糸ガイドであって、釣竿の竿体の周面に固定される固定部と、固定部に対して起立すると共にその起立した方向を回転軸方向として回転自在に連結された脚部と、脚部の頭端に形成された釣竿の長手方向に貫通する貫通孔を有するガイドフレームと、貫通孔にはめ込まれ釣糸が挿通可能なガイドリングとを備えている回転式釣糸ガイドである。
【０００７】
この釣糸ガイドにおいては、リールから導出されてくる釣糸はガイドリングを挿通して案内される。リールからの釣糸の導出乃至巻き取りの際に釣糸に弛みが生じ、風などの影響を受けた釣糸が脚部やガイドフレームに絡み付く糸絡みが生じ得る。この際、さらにリールで釣糸を巻き取り若しくは釣糸を引っ張る等すると、脚部が回転してガイドフレームやガイドリングも周方向に回転する。これらの回転により、釣糸の絡みつきが解され、糸絡みが解消される。
【０００８】
上述のような回転式の釣糸ガイドを利用する釣竿は、以下のような構造とするのが好ましい。この釣竿は、竿体と、竿体の周面に軸長方向に間隔を隔てて配置される複数の釣糸ガイドとを備えている。複数の釣糸ガイドの中で、最も竿元側に配置される釣糸ガイドと、最も穂先側に配置される釣糸ガイドとは回転不能な固定式釣糸ガイドであり、その余の釣糸ガイドは回転式釣糸ガイドとする。
【０００９】
最も穂先側に位置する釣糸ガイドと、最も手元側に位置する釣糸ガイドとを回転不能な固定式のものとすることで、この２つの釣糸ガイドでリールからの釣糸を釣竿の軸方向に導く方向性を確保している。その余の釣糸ガイドを上述のような回転式とすることで、糸絡みを防止している。
【発明の効果】
【００１０】
本発明の釣糸ガイド及びこれを備えた釣竿によれば、いわゆる「糸絡み」を効果的に防止できる。
【発明を実施するための最良の形態】
【００１１】
以下、本発明の１つの実施形態について、図面を参照しつつ説明する。
本発明の１つの実施形態を採用した釣竿は、図１に示すように、元竿１と、元竿１の穂先側に連結された中竿２と、中竿２の穂先側に連結された穂先竿３との３本の竿体から構成されている。もっとも、竿体の本数はこれに限定されるものではなく、任意に設定可能である。
【００１２】
元竿１は最も竿元側に位置する太径の竿体である。炭素繊維などの強化繊維を引き揃えた上で合成樹脂を含浸させたプリプレグ素材を焼成して製造される管状体からなる。元竿１の竿元側の管状体の周面にはリアグリップ４が装着され、その穂先側にはリール（図示せず）を脱着自在に装着するためのリールシート５が設けられ、その穂先側にはさらにフロントグリップ６が装着されている。各グリップはそれぞれウレタンゴム等から製造されるパイプ状の部材であり、管状体の所定の周面に接着剤等で固定されている。リールシート５はリールの脚部を軸方向に挟み込んで固定する部分である。
【００１３】
また、この元竿１の穂先側の周面には釣糸ガイド７が装着されている。この釣糸ガイド７は、パイプ状の固定部と、固定部から起立する脚部と脚部の頭端のガイドフレームに填め込まれるセラミックス製のガイドリングを有する。この釣糸ガイド７は周知のものであり、後述の回転式釣糸ガイドとは異なる固定式のものである。そのガイドリングの周方向位置は、上述のリールシートのリール装着面と一致する。
【００１４】
中竿２は元竿１の穂先側に連結される竿体であり、元竿１と同様にプリプレグ素材を焼成してなる先細りテーパの施された管状体からなる。元竿１に対する連結手法は、いわゆる振出形式，並継形式，インロー継形式など任意のものを選択可能である。例えば、振出形式を採用する場合には、後述の回転式釣糸ガイド８は、中竿２の周面上を軸方向に滑動可能なスライドガイドとする必要が生じる。
【００１５】
中竿２の管状体の周面には、軸方向に間隔を隔てて複数の回転式釣糸ガイド８が装着されている。図２に示すように、この回転式釣糸ガイド８は、中竿２の管状体の周面に固定される部材である。回転式釣糸ガイド８は、中竿２の管状体の周面に固定される固定部１１と、固定部１１より起立する脚部１２と、脚部１２の頭端に形成された中竿２の軸方向に貫通する貫通孔を有するガイドフレーム１３と、貫通孔にはめ込まれ釣糸Ｌが挿通可能なガイドリング１４とを有している。
【００１６】
固定部１１は硬質の合成樹脂等の左右の半割部材から形成され、左右の半割部材を貼り合わせ面で接着固定などして形成される、中竿２が貫通可能なパイプ状の部材である。パイプの内周面と中竿２の外周面との嵌着若しくは両者の接着などにより、中竿２の所定の軸方向位置の周面に固定されている。もっとも、この回転式釣糸ガイド８をスライドガイドとして利用する場合には両者は接着されない。中竿２の所定の軸方向位置における管状体の外径と固定部１１のパイプの内径との嵌着により、両者は位置決めされるに留まる。固定部１１のパイプ状部分の外周側の一部は開口する受け部となっており、後述の脚部１２の回転部を受ける収納部分となっている。
【００１７】
固定部１１の受け部から起立するのが脚部１２である。脚部１２は、チタン，アルミニウムなどの金属若しくは硬質合成樹脂から構成される。下端部は太径の円筒状の回転部であり、この回転部が上述の固定部１１の受け部内に脚部１２の長手方向を回動軸方向として回転可能に収納される。回転部から延びる柱状の部分は受け部の開口から固定部１１の外に延びている。
【００１８】
この脚部１２の柱状の部分の頭端側に円盤状に広がるガイドフレーム１３が形成される。ガイドフレーム１３はその円盤状の部分の中央を貫通する貫通孔が形成されており、ここにガイドリング１４がはめ込まれて固定されている。ガイドリング１４はセラミックスなどの硬質部材から形成されたリングであり、釣糸Ｌがこのリングを挿通する。
【００１９】
穂先竿３は中竿２の穂先側に連結される細経の竿体である。他の竿体と同様にプリプレグ素材を焼成した管状体若しくは中実のソリッド体である。穂先竿３の穂先側端部にはトップガイド１０が接着剤等により固定されている。トップガイド１０は穂先竿３の先端の一部が差し込まれた本体部と、その本体部に起立するようにはめ込まれたガイドリングとを有する。このトップガイド１０は上述のような回転式釣糸ガイドではない。また、穂先竿３の管状体若しくはソリッド体の周面には、軸方向に間隔を隔てて複数の回転式釣糸ガイド９が装着されている。この回転式の釣糸ガイド９は上述の中竿２の周面の回転式釣糸ガイド８と同種のものでありその説明を省略する。
【００２０】
このような釣竿においては、最も穂先側に位置するトップガイド１０と、最も手元側に位置する元竿１の周面の釣糸ガイド７とは回転不能な固定式のものである。この２つの釣糸ガイドでリールからの釣糸を釣竿の軸方向に導く方向性を十分に確保している。そして、この釣竿では、リールから導出されてくる釣糸は各釣糸ガイドのガイドリングを挿通して案内される。ここで、リールからの釣糸の導出乃至巻き取りの際に釣糸に弛みが生じ、風などの影響を受けた釣糸が、回転式釣糸ガイド８，９の脚部１２やガイドフレーム１３に絡み付く糸絡みが生じ得る。この際、さらにリールで釣糸を巻き取り若しくは釣糸を引っ張る等すると、脚部１２がその長手方向を回動軸方向として回転して、ガイドフレーム１３やガイドリング１４も同方向に回転する。これらの回転により、釣糸の絡みつきが解され、糸絡みが解消されるのである。
【００２１】
なお、この実施形態においては、トップガイド１０及び釣糸ガイド７以外のものを回転式としているが、これらの釣糸ガイドの全てを回転式にする必要はない。特に、釣糸の糸絡みが生じ易い、リール側に近い特定の釣糸ガイドのみを回転式のものとしてもよい。
【図面の簡単な説明】
【００２２】
【図１】本発明の１つの実施形態に係る釣竿を示した図。
【図２】図１の回転式釣糸ガイド８を示した図。
【符号の説明】
【００２３】
２  中竿
８  回転式釣糸ガイド
１１  固定部
１２  脚部
１３  ガイドフレーム
１４  ガイドリング
【図１】
2005198590.tif 000003
【図２】
2005198590.tif 000004